(57)【要約】【課題】対象者の手の自由を妨げることなくＩＣタグから情報を対象者に案内する情報案内装置を提供する。【解決手段】情報案内装置は、外出時、対象者に情報を提供する情報案内装置において、街路に埋め込まれるとともに情報を記憶するＩＣタグ（４）と、上記対象者の靴（８）または中敷きに取り付けられるとともに上記ＩＣタグから情報を読み取るＲＦＩＤリーダ（１）と、上記ＲＦＩＤリーダが読み取った情報を上記対象者に報知する報知手段（５）と、を備える。【選択図】図１
2009260547.tif 000002
【特許請求の範囲】
【請求項１】
外出する対象者に情報を提供する情報案内装置において、
街路に埋め込まれるとともに情報を記憶するＩＣタグと、
上記対象者の靴または中敷きに取り付けられるとともに上記ＩＣタグから情報を読み取るＲＦＩＤリーダと、
上記ＲＦＩＤリーダが読み取った情報を上記対象者に報知する報知手段と、
を備えることを特徴とする情報案内装置。
【請求項２】
上記靴または上記中敷きに取り付けられるとともに上記靴または上記中敷きが街路に接するときに電気を発電し且つ発電した電気を上記ＲＦＩＤリーダに供給することを特徴とする請求項１に記載の情報案内装置。
【請求項３】
上記ＩＣタグからの情報に含まれる位置を予め入力された目的地までの進路と比較して上記対象者の進路からのずれを上記報知手段により報知する処理装置を備えることを特徴とする請求項１に記載の情報案内装置。
【請求項４】
上記報知手段は、上記靴または上記中敷きに埋め込まれるともに上記情報を読み取ったとき振動する振動子を含むことを特徴とする請求項３に記載の情報案内装置。
【請求項５】
上記報知手段は、上記靴または上記中敷きに埋め込まれるともに前進方向または後進方向に上記対象者を誘導する２個の振動子を含むことを特徴とする請求項３に記載の情報案内装置。
【発明の詳細な説明】
【技術分野】
【０００１】
この発明は、ＲＦＩＤリーダにて読み取った情報を外出中の対象者に案内する情報案内装置に関するものである。
【背景技術】
【０００２】
白杖が、路面に所定間隔で設置した通信周波数信号発信体に接近すれば、非接触でも、その通信周波数信号電波を検知することができる。すなわち、フェライト棒とコイルからなるアンテナ本体で検知した通信信号電波は同調コンデンサ、整合回路、リーダーライターを経て、信号処理回路に入力されて信号処理が行われ、進路指示部に出力される。そして、進路指示部においては、たとえば、振動によって、右進指示、直進指示、左進指示を出す等して進路指示を行う（例えば、特許文献１参照）。
【０００３】
【特許文献１】特開２００３−２４９８８０号公報
【発明の開示】
【発明が解決しようとする課題】
【０００４】
しかし、ＲＦＩＤリーダを備えた白杖を手に持たなければならず手の自由度が小さくなるという問題がある。
また、ＲＦＩＤリーダには使用時に電源を供給しなければならないので、内蔵した電池が寿命に達したら交換しなければならないという問題がある。
【０００５】
この発明の目的は、対象者の手の自由を妨げることなくＩＣタグから情報を対象者に案内する情報案内装置を提供することである。
【課題を解決するための手段】
【０００６】
この発明に係る情報案内装置は、外出する対象者に情報を提供する情報案内装置において、街路に埋め込まれるとともに情報を記憶するＩＣタグと、上記対象者の靴または中敷きに取り付けられるとともに上記ＩＣタグから情報を読み取るＲＦＩＤリーダと、上記ＲＦＩＤリーダが読み取った情報を上記対象者に報知する報知手段と、を備える。
【発明の効果】
【０００７】
この発明に係る情報案内装置の効果は、外出する対象者の靴または中敷きに取り付けられたＲＦＩＤリーダにて読み取った情報を対象者が携行する報知手段から報知するので、対象者の手の自由度を妨げることなく情報を入手することができることである。
【発明を実施するための最良の形態】
【０００８】
図１は、この発明に係る情報案内装置を装備した対象者の様子を示す図である。図２は、対象者が履いている靴の靴底に埋め込まれたＲＦＩＤリーダ、処理装置、発信器、振動素子を示す図である。図３は、情報案内装置での信号および電源の流れを示す図である。なお、図１においてＩＣタグを図面の大きさの関係で３個だけ図示したが、街路に沿ってＩＣタグは埋め込まれている。
【０００９】
この発明を実施するための最良の形態に係る情報案内装置は、街路に埋め込まれたＩＣタグ４１〜４３、対象者が携行する情報端末５、ＩＣタグ４１〜４３に対してポーリングすることによりＩＣタグ４１〜４３から位置情報や店舗情報（以下、まとめて情報と称す）を読み取るＲＦＩＤリーダ１、ＲＦＩＤリーダ１が読み取った情報から目的地への進路の案内情報を求める処理装置２、処理装置２が求めた案内情報を情報端末５に送信する発信器３、対象者を目的地に導くように振動する振動素子６ａ、６ｂ、および、靴８が地面に接地したとき加圧されて電気を発電する発電素子７を備える。なお、情報端末５と振動素子６ａ、６ｂをまとめて報知手段と称す。
ＲＦＩＤリーダ１、処理装置２、発信器３、振動素子６ａ、６ｂ、および発電素子７は、靴８の靴底に埋め込まれている。
【００１０】
ＩＣタグ４１〜４３には、ＲＦＩＤリーダ１との間で無線通信を行うＲＦＩＣタグであり、ＩＣタグ４１〜４３が埋め込まれた街路の位置とその位置の店舗情報がメモリに記憶されており、ＲＦＩＤリーダ１から情報の送信を要求するリクエスト信号を受信するとそれに対応してメモリに記憶されている情報をＲＦＩＤリーダ１に送信する。
ＲＦＩＤリーダ１は、例えば１秒周期で情報の送信を要求するリクエスト信号を各ＩＣタグ４１〜４３に対して順次送信する。そして、ＲＦＩＤリーダ１とＩＣタグ４１〜４３との距離が例えば１ｃｍ以下になると、ＩＣタグ４１〜４３がリクエスト信号を受信する。
また、ＲＦＩＤリーダ１は、ＩＣタグ４１〜４３から情報を受信したら、その情報を処理装置２に送る。
【００１１】
振動素子６ａ、６ｂは、靴底の２箇所に分けられて配置されていて、目的地が現在の位置に対して前進方向または後進方向のいずれかを振動することにより報知する。
【００１２】
処理装置２は、対象者が外出前に例えば図示しないパソコンで目的地への進路を検索し、その進路を例えばブルートゥースによりパソコンから送られて記憶されている。
また、処理装置２は、ＲＦＩＤリーダ１から情報が送られてきたら記憶されている進路と対比してこれからの経路を求め発信器３に送る。
また、処理装置２は、目的地が現在の位置から前進方向に位置するのか後進方向に位置するのかを判断し、前進方向に位置すると判断したとき靴８の爪先側の振動素子６ａを振動し、後進方向に位置すると判断したとき靴８のかかと側の振動素子６ｂを振動させて目的地に誘導する。
【００１３】
発信器３は、これからの経路を受け取ったら例えばブルートゥースまたはＨｏｍｅＲＦで情報端末５にこれからの経路を送信する。
情報端末５は、発信器３からこれからの経路を受信したときにはこれからの経路を地図上に表示する。
【００１４】
発電素子７は、図示しないピエゾ素子の両側に電極が設けられている。そして、靴底が地面に接地すると、地面と足とによりピエゾ素子に力が加わり、ピエゾ効果により電気が発生する。そして、発生した電気はＲＦＩＤリーダ１、処理装置２、発信器３、振動素子６ａ、６ｂに電源として供給される。
【００１５】
このように対象者の靴８の靴底に取り付けられたＲＦＩＤリーダ１で、街路に点在して埋め込まれたＩＣタグ４１〜４３から情報を読み取り、情報端末５に表示するので、点在するあらゆる情報をいつでもどこでも閲覧することができる。
【００１６】
この発明に係る情報案内装置は、靴８に取り付けられたＲＦＩＤリーダ１にて読み取った情報を対象者が携行する情報端末５または振動素子６ａ、６ｂから報知するので、対象者の手の自由度を妨げることなく情報を入手することができる。
また、靴８を履いて歩くことにより発電素子７が発電する電気をＲＦＩＤリーダ１に電源として供給するので、電源に関して保守しなくても済む。
また、ＲＦＩＤリーダ１とＩＣタグ４１〜４３との間で通信可能な範囲は最大でも数ｃｍであり、ＲＦＩＤリーダ１は至近距離にあるＩＣタグ４１〜４３からの情報だけを受信するので、誤検出や他の装置との干渉を防ぐことができる。
【００１７】
なお、上述の説明では靴底にＲＦＩＤリーダ１、処理装置２、発信器３、振動素子６ａ、６ｂを埋め込んでいるが、靴８の中に入れる中敷きに取り付けても良い。
【図面の簡単な説明】
【００１８】
【図１】この発明に係る情報案内装置を装備した対象者の様子を示す図である。
【図２】対象者が履いている靴の靴底に埋め込まれたＲＦＩＤリーダ、処理装置、発信器、振動素子を示す図である。
【図３】情報案内装置での信号および電源の流れを示す図である。
【符号の説明】
【００１９】
１  ＲＦＩＤリーダ、２  処理装置、３  発信器、４１〜４３  ＩＣタグ、５  情報端末、６ａ、６ｂ  振動素子、７  発電素子、８  靴。
【図１】
2009260547.tif 000003
【図２】
2009260547.tif 000004
【図３】
2009260547.tif 000005